【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
商品登録装置と少なくとも１つの決済装置とを含んだチェックアウトシステムであって、
前記商品登録装置は、
買上商品の商品コードを取得し、前記買上商品のリストを作成する作成手段と、
前記買上商品を買い上げる買物客に操作面を向けて設けられた操作デバイスと、
前記操作デバイスでの操作に応じて、領収書を発行することを決定する決定手段と、
前記作成手段により作成された前記リストを含むとともに、前記決定手段により前記領収書を発行することが決定された場合には前記領収書を発行することを示す発行情報を含んだ決済情報を生成する生成手段と、
前記生成手段により生成された前記決済情報を前記少なくとも１つの決済装置の１つへと通知する通知手段と、を具備し、
前記決済装置は、
前記通知手段により通知された前記決済情報に基づいて決済処理を行う決済手段と、
前記通知手段により通知された前記決済情報に前記領収書を発行することを示した前記発行情報が含まれる場合に前記領収書を発行する領収書発行手段と、
前記領収書発行手段が前記領収書を発行する場合は、双方プリントを行う設定である場合には前記リストの明細を表した明細書を発行し、前記双方プリントを行わない設定である場合は、前記明細書を発行しない明細書発行手段と、
前記領収書発行手段が前記領収書を発行する場合で、前記双方プリントを行わない設定である場合は、前記明細書が発行されない旨のメッセージを出力する出力手段と、を具備する、
チェックアウトシステム。
【請求項２】
前記決定手段は、前記作成手段が買上商品の商品コードを取得するのを待ち受ける期間においては、前記決定のための前記操作を常時受け付ける、
請求項１に記載のチェックアウトシステム。
【請求項３】
前記決定手段は、前記期間の開始前においても、前記決定のための前記操作を受け付ける、
請求項２に記載のチェックアウトシステム。
【請求項４】
前記操作デバイスはタッチパネルであり、前記期間の開始前および前記期間においては前記領収書を発行することを指定するためのボタンを常時表示し、
前記決定手段は、前記ボタンへのタッチが前記タッチパネルにより検出された場合に、前記領収書を発行することを決定する、
請求項３に記載のチェックアウトシステム。
【請求項５】
前記双方プリントを許容するか否かを表す設定データを記憶する記憶ユニットをさらに備え、
前記明細書発行手段は、前記記憶ユニットにより記憶された前記設定データに基づいて前記双方プリントを行う設定であるか否かを判定し、
前記出力手段は、前記記憶ユニットにより記憶された前記設定データに基づいて前記双方プリントを行う設定であることを判定する、
請求項１−４のいずれか一項に記載のチェックアウトシステム。
【請求項６】
買上商品の商品コードを取得し、前記買上商品のリストを作成する作成手段と、
前記買上商品を買い上げる買物客に操作面を向けて設けられた操作デバイスと、
前記操作デバイスでの操作に応じて、領収書を発行することを決定する決定手段と、
前記作成手段により作成された前記リストを含むとともに、前記決定手段により前記領収書を発行することが決定された場合には前記領収書を発行することを示す発行情報を含んだ決済情報を生成する生成手段と、
前記生成手段により生成された前記決済情報を少なくとも１つの決済装置の１つへと通知する通知手段と、を具備した商品登録装置とともに前記少なくとも１つの決済装置の１つとして用いられてチェックアウトシステムを構成する決済装置であって、
前記通知手段により通知された前記決済情報に基づいて決済処理を行う決済手段と、
前記通知手段により通知された前記決済情報に前記領収書を発行することを示した前記発行情報が含まれる場合に前記領収書を発行する領収書発行手段と、
前記領収書発行手段が前記領収書を発行する場合は、双方プリントを行う設定である場合には前記リストの明細を表した明細書を発行し、前記双方プリントを行わない設定である場合は、前記明細書を発行しない明細書発行手段と、
前記領収書発行手段が前記領収書を発行する場合で、前記双方プリントを行わない設定である場合は、前記明細書が発行されない旨のメッセージを出力する出力手段と、
を具備する決済装置。
【請求項７】
前記双方プリントを許容するか否かを表す設定データを記憶する記憶ユニットをさらに備え、
前記明細書発行手段は、前記記憶ユニットにより記憶された前記設定データに基づいて前記双方プリントを行う設定であるか否かを判定し、
前記出力手段は、前記記憶ユニットにより記憶された前記設定データに基づいて前記双方プリントを行う設定であることを判定する、
請求項６に記載の決済装置。
【請求項８】
買上商品の商品コードを取得し、前記買上商品のリストを作成する作成手段と、
前記買上商品を買い上げる買物客に操作面を向けて設けられた操作デバイスと、
前記操作デバイスでの操作に応じて、領収書を発行することを決定する決定手段と、
前記作成手段により作成された前記リストを含むとともに、前記決定手段により前記領収書を発行することが決定された場合には前記領収書を発行することを示す発行情報を含んだ決済情報を生成する生成手段と、
前記生成手段により生成された前記決済情報を少なくとも１つの決済装置の１つへと通知する通知手段と、を具備した商品登録装置とともに前記少なくとも１つの決済装置の１つとして用いられてチェックアウトシステムを構成する決済装置を制御するコンピュータを、
前記通知手段により通知された前記決済情報に基づいて決済処理を行う決済手段と、
前記通知手段により通知された前記決済情報に前記領収書を発行することを示した前記発行情報が含まれる場合に前記領収書を発行する領収書発行手段と、
前記領収書発行手段が前記領収書を発行する場合は、双方プリントを行う設定である場合には前記リストの明細を表した明細書を発行し、前記双方プリントを行わない設定である場合は、前記明細書を発行しない明細書発行手段と、
前記領収書発行手段が前記領収書を発行する場合で、前記双方プリントを行わない設定である場合は、前記明細書が発行されない旨のメッセージを出力する出力手段と、
して機能させるための制御プログラム。
【手続補正２】
【補正対象書類名】明細書
【補正対象項目名】０００９
【補正方法】変更
【補正の内容】
【０００９】
実施形態のチェックアウトシステムは、商品登録装置と少なくとも１つの決済装置とを含む。商品登録装置は、作成手段、操作デバイス、決定手段、生成手段および通知手段を備える。決済装置は、決済手段、領収書発行手段、明細書発行手段および出力手段を備える。作成手段は、買上商品の商品コードを取得し、買上商品のリストを作成する。操作デバイスは、買上商品を買い上げる買物客に操作面を向けて設けられる。決定手段は、操作デバイスでの操作に応じて、領収書を発行することを決定する。生成手段は、作成手段により作成されたリストを含むとともに、決定手段により領収書を発行することが決定された場合には領収書を発行することを示す発行情報を含んだ決済情報を生成する。通知手段は、生成手段により生成された決済情報を少なくとも１つの決済装置の１つへと通知する。決済手段は、通知手段により通知された決済情報に基づいて決済処理を行う。領収書発行手段は、通知手段により通知された決済情報に領収書を発行することを示した発行情報が含まれる場合に領収書を発行する。明細書発行手段は、領収書発行手段が領収書を発行する場合は、双方プリントを行う設定である場合はリストの明細を表した明細書を発行し、双方プリントを行わない設定である場合は明細書を発行しない。出力手段は、領収書発行手段が領収書を発行する場合で、双方プリントを行わない設定である場合は、明細書が発行されない旨のメッセージを出力する。